(57)【要約】【課題】同一文書の複数の印刷物に追記されたコメントを閲覧容易にする。【解決手段】記憶部と、情報画像と共に文書を印刷する印刷部と、印刷文書のページ毎の第１画像を識別子及びページ番号に関連付けて記憶部に保存する画像保存部と、印刷物のページ毎の第２画像を取得する画像取得部と、第２画像から追記データを抽出すると共にその情報画像から識別子とページ番号を抽出する抽出部と、抽出した識別子及びページ番号に関連付けられた第１画像に関連付けて上記追記データを保存する追記データ保存部と、ファイル生成指示に応じて第１画像及び追記データから電子ファイルを生成する生成部と、を備える。【選択図】図１
2020060998.tif 000002
【特許請求の範囲】
【請求項１】
記憶部と、
文書を印刷して印刷物を作成する印刷部と、
前記文書のページ毎の画像である第１画像をそれぞれ前記記憶部に保存する画像保存部と、
前記印刷物のページ毎の画像である第２画像を取得する画像取得部と、
前記第２画像から前記第１画像に対する追記部分の内容を示す追記データを抽出する抽出部と、
前記第１画像のそれぞれに関連付けて、前記追記データを前記記憶部に保存する追記データ保存部と、
前記第１画像及び前記追記データを用いて電子ファイルを生成する生成部と、
を備え、
前記印刷部は、前記印刷物の各ページに、前記文書の識別子及びページ番号を示す情報を含む情報画像を印刷し、
前記画像保存部は、前記第１画像のそれぞれを、前記識別子及び前記ページ番号に関連付けて前記記憶部に保存し、
前記抽出部は、前記第２画像に含まれる前記情報画像から前記識別子及び前記ページ番号を抽出し、
前記追記データ保存部は、前記記憶部に保存されている前記第１画像のうち、前記抽出された前記識別子及び前記ページ番号と同じ前記識別子及びページ番号に関連付けられた前記第１画像に、前記追記データを関連付けて保存し、
前記生成部は、ファイル生成指示を受け付けたことに応じて、同じ前記識別子に関連付けて前記記憶部に保存されている前記第１画像及び前記追記データを用いて前記電子ファイルを生成する、
媒体処理システム。
【請求項２】
前記抽出部は、前記抽出した識別子及びページ番号に関連付けて前記記憶部に保存されている前記追記データと前記第２画像から抽出した前記追記データを比較し、前記抽出した前記追記データのうち前記保存されている前記追記データに含まれていない部分を、前記第２画像から抽出した前記追記データとして、前記抽出した識別子及びページ番号に関連付けて前記記憶部に追加して保存する、
請求項１に記載の媒体処理システム。
【請求項３】
前記生成部は、同じ前記識別子に関連付けて前記記憶部に保存されている前記第１画像を、前記第１画像のそれぞれに関連付けられている前記ページ番号の順にソートして、前記電子ファイルを生成する、
請求項１又は２に記載の媒体処理システム。
【請求項４】
前記印刷部は、前記印刷物の各ページに、前記識別子、前記印刷物の部数番号、及びページ番号を示す情報を含む情報画像を印刷し、
前記画像保存部は、前記第１画像のそれぞれを、前記識別子、及び前記ページ番号に関連付けて前記記憶部に記憶し、
前記抽出部は、前記第２画像に含まれる前記情報画像から前記識別子、前記部数番号及び前記ページ番号を抽出し、
前記抽出部は、前記抽出した識別子、ページ番号、及び部数番号に関連付けて前記記憶部に保存されている前記追記データと前記第２画像から抽出した前記追記データを比較し、前記抽出した前記追記データのうち前記保存されている前記追記データに含まれていない部分を、前記第２画像から抽出した前記追記データとして、前記抽出した識別子、ページ番号、及び部数番号に関連付けて前記記憶部に追加して保存する、
請求項１ないし３のいずれか一項に記載の媒体処理システム。
【請求項５】
前記生成部は、前記部数番号に対応付けられた前記印刷物の配布先名を示す配布先情報に基づいて、前記追記データを追記した配布先名を特定可能な態様で前記電子ファイルを生成する、
請求項４に記載の媒体処理システム。
【請求項６】
請求項１ないし５のいずれか一項に記載の媒体処理システムを構成する前記記憶部、前記印刷部、前記画像保存部、前記画像取得部、前記抽出部、前記追記データ保存部、及び前記生成部を備える媒体処理装置。
【請求項７】
前記記憶部と、
前記印刷部及び前記画像保存部を備える印刷装置と、
前記画像取得部、前記抽出部、前記追記データ保存部、及び前記生成部を備える画像読取装置と、を有し、
前記記憶部、前記印刷装置、及び前記画像読取装置は、ネットワークにより通信可能に接続されている、
請求項１ないし５にいずれか一項に記載の媒体処理システム。
【請求項８】
文書を印刷して印刷物を作成するステップと、
前記文書のページ毎の画像である第１画像をそれぞれ記憶部に保存するステップと、
前記印刷物のページ毎の画像である第２画像を取得するステップと、
前記第２画像から前記第１画像に対する追記部分の内容を示す追記データを抽出するステップと、
前記第１画像のそれぞれに関連付けて、前記追記データを前記記憶部に保存するステップと、
前記第１画像及び前記追記データを用いて電子ファイルを生成するステップと、
を有し、
前記印刷物を作成するステップでは、前記印刷物の各ページに、前記文書の識別子及びページ番号を示す情報を含む情報画像を印刷し、
前記第１画像を保存するステップでは、前記第１画像のそれぞれを、前記識別子及び前記ページ番号に関連付けて前記記憶部に保存し、
前記抽出するステップでは、前記第２画像に含まれる前記情報画像から前記識別子及び前記ページ番号を抽出し、
前記追記データを保存するステップでは、前記記憶部に保存されている前記第１画像のうち、前記抽出された前記識別子及び前記ページ番号と同じ前記識別子及びページ番号に関連付けられた前記第１画像に、前記追記データを関連付けて保存し、
前記生成するステップでは、ファイル生成指示を受け付けたことに応じて、同じ前記識別子に関連付けて前記記憶部に保存されている前記第１画像及び前記追記データを用いて前記電子ファイルを生成する、
媒体処理方法。
【発明の詳細な説明】
【技術分野】
【０００１】
本発明は、媒体処理システム、媒体処理装置、及び媒体処理方法に関する。
【背景技術】
【０００２】
手書きコメントが追記された印刷文書から、それらのコメントを注釈として含むＰＤＦファイルを生成する画像形成装置が知られている（特許文献１参照）。この装置は、印刷文書の画像を読み取り、文書部分の画像を抽出すると共に、手書きコメントをテキストとして抽出する。そして、この装置は、印刷文書毎に、上記抽出した画像とテキストとにより一つのＰＤＦファイルを生成する。
【先行技術文献】
【特許文献】
【０００３】
【特許文献１】特開２００８−１８１４８５号公報
【発明の概要】
【発明が解決しようとする課題】
【０００４】
印刷文書を利用する場面として、同一の文書について作成した複数の印刷物を複数の人物にそれぞれ配布してコメントの記入を依頼する場合が考えられる。この場合、依頼者は、その後にそれらの印刷物を回収し、例えば上記従来の装置を用いてＰＤＦファイルを作成してコメントを閲覧することができる。しかしながら、上記従来の装置では、印刷文書毎にＰＤＦファイルが作成されるため、依頼者は、例えば一のページについての全てのコメントを閲覧したい場合には、依頼した人数分のＰＤＦファイルを参照しなければならず、閲覧作業が煩雑となる。
【課題を解決するための手段】
【０００５】
上記課題を解決する一態様は、記憶部と、文書を印刷して印刷物を作成する印刷部と、前記文書のページ毎の画像である第１画像をそれぞれ前記記憶部に保存する画像保存部と、前記印刷物のページ毎の画像である第２画像を取得する画像取得部と、前記第２画像から前記第１画像に対する追記部分の内容を示す追記データを抽出する抽出部と、前記第１画像のそれぞれに関連付けて、前記追記データを前記記憶部に保存する追記データ保存部と、前記第１画像及び前記追記データを用いて電子ファイルを生成する生成部と、を備え、前記印刷部は、前記印刷物の各ページに、前記文書の識別子及びページ番号を示す情報を含む情報画像を印刷し、前記画像保存部は、前記第１画像のそれぞれを、前記識別子及び前記ページ番号に関連付けて前記記憶部に保存し、前記抽出部は、前記第２画像に含まれる前記情報画像から前記識別子及び前記ページ番号を抽出し、前記追記データ保存部は、前記記憶部に保存されている前記第１画像のうち、前記抽出された前記識別子及び前記ページ番号と同じ前記識別子及びページ番号に関連付けられた前記第１画像に、前記追記データを関連付けて保存し、前記生成部は、ファイル生成指示を受け付けたことに応じて、同じ前記識別子に関連付けて前記記憶部に保存されている前記第１画像及び前記追記データを用いて前記電子ファイルを生成する、媒体処理システムである。
上記媒体処理システムにおいて、前記抽出部は、前記抽出した識別子及びページ番号に関連付けて前記記憶部に保存されている前記追記データと前記第２画像から抽出した前記追記データを比較し、前記抽出した前記追記データのうち前記保存されている前記追記データに含まれていない部分を、前記第２画像から抽出した前記追記データとして、前記抽出した識別子及びページ番号に関連付けて前記記憶部に追加して保存する。
上記媒体処理システムにおいて、前記生成部は、同じ前記識別子に関連付けて前記記憶部に保存されている前記第１画像を、前記第１画像のそれぞれに関連付けられている前記ページ番号の順にソートして、前記電子ファイルを生成する。
上記媒体処理システムにおいて、前記印刷部は、前記印刷物の各ページに、前記識別子、前記印刷物の部数番号、及びページ番号を示す情報を含む情報画像を印刷し、前記画像保存部は、前記第１画像のそれぞれを、前記識別子、及び前記ページ番号に関連付けて前記記憶部に記憶し、前記抽出部は、前記第２画像に含まれる前記情報画像から前記識別子、前記部数番号及び前記ページ番号を抽出し、前記抽出部は、前記抽出した識別子、ページ番号、及び部数番号に関連付けて前記記憶部に保存されている前記追記データと前記第２画像から抽出した前記追記データを比較し、前記抽出した前記追記データのうち前記保存されている前記追記データに含まれていない部分を、前記第２画像から抽出した前記追記データとして、前記抽出した識別子、ページ番号、及び部数番号に関連付けて前記記憶部に追加して保存する。
上記媒体処理システムにおいて、前記生成部は、前記部数番号に対応付けられた前記印刷物の配布先名を示す配布先情報に基づいて、前記追記データを追記した配布先名を特定可能な態様で前記電子ファイルを生成する。
上記課題を解決する別の一態様は、いずれかの前記媒体処理システムを構成する前記記憶部、前記印刷部、前記画像保存部、前記画像取得部、前記抽出部、前記追記データ保存部、及び前記生成部を備える媒体処理装置である。
上記課題を解決する別の一態様は、前記記憶部と、前記印刷部及び前記画像保存部を備える印刷装置と、前記画像取得部、前記抽出部、前記追記データ保存部、及び前記生成部を備える画像読取装置と、を有し、前記記憶部、前記印刷装置、及び前記画像読取装置は、ネットワークにより通信可能に接続されている、前記いずれかの媒体処理システムである。
上記課題を解決する更に別の一態様は、文書を印刷して印刷物を作成するステップと、前記文書のページ毎の画像である第１画像をそれぞれ記憶部に保存するステップと、前記印刷物のページ毎の画像である第２画像を取得するステップと、前記第２画像から前記第１画像に対する追記部分の内容を示す追記データを抽出するステップと、前記第１画像のそれぞれに関連付けて、前記追記データを前記記憶部に保存するステップと、前記第１画像及び前記追記データを用いて電子ファイルを生成するステップと、を有し、前記印刷物を作成するステップでは、前記印刷物の各ページに、前記文書の識別子及びページ番号を示す情報を含む情報画像を印刷し、前記第１画像を保存するステップでは、前記第１画像のそれぞれを、前記識別子及び前記ページ番号に関連付けて前記記憶部に保存し、前記抽出するステップでは、前記第２画像に含まれる前記情報画像から前記識別子及び前記ページ番号を抽出し、前記追記データを保存するステップでは、前記記憶部に保存されている前記第１画像のうち、前記抽出された前記識別子及び前記ページ番号と同じ前記識別子及びページ番号に関連付けられた前記第１画像に、前記追記データを関連付けて保存し、前記生成するステップでは、ファイル生成指示を受け付けたことに応じて、同じ前記識別子に関連付けて前記記憶部に保存されている前記第１画像及び前記追記データを用いて前記電子ファイルを生成する、媒体処理方法である。
【図面の簡単な説明】
【０００６】
【図１】本発明の一実施形態に係る媒体処理システムの構成を示す図。
【図２】印刷装置が印刷する際に用紙上に予め定められる領域の一例を示す図。
【図３】コメント依頼モードで印刷された印刷物の構成の模式図。
【図４】図３に示す印刷物における情報画像の内容の一例を示す図。
【図５】媒体処理システムの印刷装置が実行する印刷処理のフロー図。
【図６】媒体処理システムの画像読取装置が実行する読取処理のフロー図。
【図７】図６の読取処理における追記データ保存処理のフロー図。
【図８】図６の読取処理におけるファイル作成処理のフロー図。
【発明を実施するための形態】
【０００７】
本発明の一実施形態に係る媒体処理システム１００について説明する。図１は、媒体処理システム１００の構成を示す図である。この媒体処理システム１００は、例えば、印刷機能、コピー機能、及び画像読取機能を併せ持つ、いわゆる複合機とも称される媒体処理装置である。
【０００８】
媒体処理システム１００は、バス１０２を介して互いに通信可能に接続された記憶装置１０４と、管理装置１０６と、印刷装置１０８と、画像読取装置１１０と、を備える。記憶装置１０４は、例えば、揮発性及び又は不揮発性の半導体メモリー、及び又はハードディスク装置等で構成され得る。ここで、記憶装置１０４は、記憶部に相当する。
【０００９】
［１．管理装置１０６の動作及び構成］
管理装置１０６は、ローカルエリアネットワーク（ＬＡＮ、Ｌｏｃａｌ  Ａｒｅａ  Ｎｅｔｗｏｒｋ）等を介して媒体処理システム１００と通信可能に接続された例えばパーソナルコンピューター等の外部装置（不図示）からの印刷指示を受信する。そして、管理装置１０６は、受信した印刷指示に基づいて、印刷装置１０８に指示して印刷を行う。また、管理装置１０６は、ユーザーからの動作指示を取得し、画像読取装置１１０に指示し、及び必要な場合には印刷装置１０８に指示して、画像読取動作、及びコピー動作を実行する。
【００１０】
管理装置１０６は、第１処理装置１２０と、表示装置１２２と、入力装置１２４と、通信装置１２６と、を有する。表示装置１２２は、例えば液晶表示装置である。入力装置１２４は、例えば、表示装置１２２の図示しないスクリーン上に設けられたタッチパネルで構成される。通信装置１２６は、ＬＡＮ等を介して外部装置と通信するための、有線通信及び又は無線通信を行う送受信機である。
【００１１】
ユーザーは、第１処理装置１２０が表示装置１２２に表示する操作画面に対し、入力装置１２４を介して動作指示を入力することができる。この動作指示には、画像読取動作、コピー動作等の、実行すべき機能の指定が含まれる。ユーザーは、動作指示のほか、印刷動作、コピー動作、及び画像読取動作における動作の態様を指示するモード指定を、入力装置１２４を介して入力することができる。また、ユーザーは、印刷装置１０８により後述するコメント依頼モードで作成する印刷物の配布先を示す配布先リストを、入力装置１２４を介して入力することができる。配布先リストは、例えば、印刷物の配布先である人物の氏名又は社員番号等の人物識別子であるものとすることができる。
【００１２】
第１処理装置１２０は、例えば、ＣＰＵ（Ｃｅｎｔｒａｌ  Ｐｒｏｃｅｓｓｉｎｇ  Ｕｎｉｔ）等のプロセッサーを備えるコンピューターである。第１処理装置１２０は、プログラムが書き込まれたＲＯＭ（Ｒｅａｄ  Ｏｎｌｙ  Ｍｅｍｏｒｙ）、データの一時記憶のためのＲＡＭ（Ｒａｎｄｏｍ  Ａｃｃｅｓｓ  Ｍｅｍｏｒｙ）等を有する構成であってもよい。そして、第１処理装置１２０は、機能要素又は機能ユニットとして、動作指示部１３０と、モード指定取得部１３２と、を備える。
【００１３】
第１処理装置１２０が備えるこれらの機能要素は、例えば、コンピューターである第１処理装置１２０がプログラムを実行することにより実現される。なお、上記コンピューター・プログラムは、コンピューター読み取り可能な任意の記憶媒体に記憶させておくことができる。これに代えて、第１処理装置１２０が備える上記機能要素の全部又は一部を、それぞれ一つ以上の電子回路部品を含むハードウェアにより構成することもできる。
【００１４】
動作指示部１３０は、通信装置１２６を介して外部装置から印刷指示を受信し、受信した印刷指示を印刷装置１０８に送信して印刷動作を行わせる。外部装置から送信される印刷指示には、印刷すべき文書の画像及び又はテキスト等を示す印刷データと、印刷部数の指定、印刷サイズの指定、及び又はカラー／モノクロなどの使用色数の指定などの指示を含むモード指定と、が含まれる。なお、以下では、印刷データに含まれる画像及びテキスト等を指定するコードを総称して「画像」と称するものとする。すなわち、印刷データに含まれる画像とは、画像イメージの画像データ及び又は印刷すべきテキスト等のコードを示すデータを含むものとする。
【００１５】
本実施形態では、印刷指示に含まれる印刷用のモード指定には、コメント依頼モードでの動作の指定と、印刷物の配布先を示す配布先リストとが含まれ得る。コメント依頼モードでは、印刷装置１０８は、印刷物を印刷する際に、その印刷物を他の印刷物から識別するための識別子等を含む情報画像を各ページに重畳すると共に、コメント追記用の余白を残して各ページを印刷する。コメント依頼モードの動作については、後述において更に説明する。
【００１６】
印刷指示は、例えば、外部装置が文書作成ソフトウェア、文書閲覧ソフトウェア等の文書印刷を行うことのできる文書用ソフトウェアを実行することで、媒体処理システム１００へ送信される。外部装置のユーザーは、文書用ソフトウェアにより印刷指示を送信する際に、例えば印刷ドライバーが表示する画面を介して、コメント依頼モードの設定及び配布先リストの入力を行うものとすることができる。
【００１７】
動作指示部１３０は、また、ユーザーが入力装置１２４を介して画像読取機能又はコピー機能の実行を指示する動作指示を入力したことに応じて、画像読取装置１１０、及び必要な場合には印刷装置１０８に指示して、画像読取動作又はコピー動作を行う。具体的には、動作指示部１３０は、上記動作指示により指定された機能が画像読取機能であるときは、画像読取装置１１０へ読取指示を送信する。また、動作指示部１３０は、動作指示によりコピー機能が指定されたときは、画像読取装置１１０へ読取指示を送信すると共に、画像読取装置１１０が読み取った画像の印刷を指示する印刷指示を生成し、生成した印刷指示を印刷装置１０８へ送信する。
【００１８】
モード指定取得部１３２は、入力装置１２４を介してユーザーが入力するモード指定を取得する。入力されるモード指定には、画像読取用のモード指定と、印刷用のモード指定と、があり得る。モード指定取得部１３２は、入力装置１２４により動作指示として画像読取機能が指定されたときは、画像読取用のモード指定画面を表示装置１２２に表示する。そして、モード指定取得部１３２は、画像読取用のモード指定画面に対しユーザーが入力装置１２４を介して入力する画像読取用のモード指定を取得する。
【００１９】
また、モード指定取得部１３２は、入力装置１２４により動作指示としてコピー機能が指定されたときは、コピー機能用のモード指定画面を表示装置１２２に表示する。そして、モード指定取得部１３２は、コピー機能用のモード指定画面に対し、ユーザーが入力装置１２４を介して入力する画像読取用のモード指定と印刷用のモード指定とを取得する。
【００２０】
さらに、モード指定取得部１３２は、ユーザーが入力装置１２４を介して入力する、外部装置からの印刷指示により行う印刷動作についての印刷用のモード指定を取得する。このモード指定は、外部装置からの印刷指示に含まれるモード指定にオーバーライドされる。このモード指定を取得するため、モード指定取得部１３２は、例えば、表示装置１２２に設定メニューを表示する。ユーザーが設定メニューから対応する項目を選択すると、モード指定取得部１３２は、外部装置からの印刷指示により行う印刷動作用のモード指定画面を表示装置１２２に表示する。モード指定取得部１３２は、表示した印刷動作用のモード指定画面に対してユーザーが入力装置１２４を介して入力する印刷用のモード指定を取得する。
【００２１】
印刷用のモード指定には、従来技術に従い、印刷部数の指定、印刷サイズの指定、及び又はカラー／モノクロなどの使用色数の指定などの指示が含まれる。特に、本実施形態では、上述したように、印刷用のモード指定には、コメント依頼モードの指定と、印刷物の配布先を示す配布先リストとが含まれ得る。
【００２２】
モード指定取得部１３２は、例えば、上述のコピー機能用又は印刷動作用のモード指定画面においてユーザーがコメント依頼モードを指定したときに、それらのモード指定画面の一部として配布先入力画面を表示装置１２２に表示する。そして、モード指定取得部１３２は、配布先入力画面に対しユーザーが入力装置１２４を介して入力する配布先リストを、印刷用のモード指定の一部として取得する。
【００２３】
モード指定取得部１３２は、印刷動作用のモード指定画面において取得した印刷用のモード指定を、印刷装置１０８へ送信する。印刷装置１０８は、外部装置からの印刷指示を動作指示部１３０を介して受信して印刷動作を行うときは、外部装置からの印刷指示に含まれるモード指定に対しモード指定取得部１３２からのモード指定をオーバーライドして、印刷動作を実行する。
【００２４】
また、モード指定取得部１３２は、コピー機能用のモード指定画面において取得した印刷用のモード指定を、印刷装置１０８へ送信する。印刷装置１０８は、コピー動作の際に動作指示部１３０が生成した印刷指示を受信して印刷動作を行うときは、モード指定取得部１３２から受信した上記印刷用のモード指定に従い、印刷動作を実行する。これにより、媒体処理システム１００では、コピー動作においても、ユーザーが入力装置１２４を介して入力したコメント依頼モードの指定に従い、画像読取装置１１０が読み取った画像をコメント依頼モードで印刷することができる。
【００２５】
画像読取用のモード指定には、従来技術に従い、読取画像の解像度の指定や、読取画像の色数の指定等が含まれ得る。モード指定取得部１３２は、取得した画像読取用のモード指定を画像読取装置１１０へ送信する。画像読取装置１１０は、動作指示部１３０からの読取指示を受信して読取動作を行うときは、モード指定取得部１３２から受信した画像読取用のモード指定に従い、読取動作を実行する。
【００２６】
特に、本実施形態では、画像読取用のモード指定には、ファイル生成指示が含まれ得る。このファイル生成指示には、後述する電子ファイルを生成すべき印刷物に係る識別子の指定が含まれる。ユーザーは、表示装置１２２に表示される上述の画像読取用のモード指定画面に対し、入力装置１２４を介して電子ファイルを生成すべき印刷物の識別子を入力するものとすることができる。
【００２７】
本実施形態の画像読取装置１１０は、読み取った原稿の画像に上述した情報画像が含まれているときは、コメント集約モードの読取動作を行う。コメント集約モードの読取動作では、画像読取装置１１０は、読み取った原稿の画像から追記部分の内容を示す追記データを抽出して、上記情報画像が示す識別子等に関連付けて記憶装置１０４に保存する。また、上記受信した画像読取用のモード指定にファイル生成指示が含まれているときは、画像読取装置１１０は、ファイル生成指示に含まれる識別子に関連付けて記憶装置１０４に保存された追記データと文書画像から電子ファイルを生成する。コメント集約モードの読取動作、及び電子ファイルの生成動作については、更に後述する。
【００２８】
［２．印刷装置１０８の動作及び構成］
印刷装置１０８は、管理装置１０６から印刷指示を受信したときに、受信した印刷指示に基づき一つ又は複数のページで構成される文書を用紙Ｐに印刷して、その文書についての一部又は複数部の印刷物を作成する。
【００２９】
印刷指示は、外部装置から受信された印刷指示、又はコピー動作において管理装置１０６が生成した印刷指示であり得る。外部装置から受信された印刷指示には、上述したように、印刷すべき文書の画像を示す印刷データと、モード指定と、が含まれる。また、コピー動作において管理装置１０６が生成する印刷指示には、印刷すべき文書の画像を示す印刷データが含まれる。
【００３０】
印刷装置１０８は、印刷指示に含まれるモード指定及び又はモード指定取得部１３２から受信したモード指定に従って印刷動作を行う。特に、本実施形態では、印刷装置１０８は、コメント依頼モードで印刷する旨の指定がモード指定に含まれているときは、印刷物をコメント依頼モードで印刷する。
【００３１】
図１を参照し、印刷装置１０８は、第２処理装置１４０と、印刷機構部１４２と、を有する。印刷機構部１４２は、第２処理装置１４０の制御の下に、用紙Ｐに印刷を行う。
【００３２】
第２処理装置１４０は、例えば、ＣＰＵ等のプロセッサーを備えるコンピューターである。第２処理装置１４０は、プログラムが書き込まれたＲＯＭ、データの一時記憶のためのＲＡＭ等を有する構成であってもよい。そして、第２処理装置１４０は、機能要素又は機能ユニットとして、印刷制御部１５０と、画像保存部１５２と、情報画像生成部１５４と、配布先情報生成部１５６と、を備える。
【００３３】
第２処理装置１４０が備えるこれらの機能要素は、例えば、コンピューターである第２処理装置１４０がプログラムを実行することにより実現される。なお、上記コンピューター・プログラムは、コンピューター読み取り可能な任意の記憶媒体に記憶させておくことができる。これに代えて、第２処理装置１４０が備える上記機能要素の全部又は一部を、それぞれ一つ以上の電子回路部品を含むハードウェアにより構成することもできる。
【００３４】
印刷制御部１５０は、印刷部に相当する。印刷制御部１５０は、受信した印刷指示に基づき、その印刷指示に含まれるモード指定又はモード指定取得部１３２から受信したモード指定に従って印刷動作を行う。モード指定にコメント依頼モードの指定が含まれていないときは、印刷制御部１５０は、従来技術に従い、印刷データに含まれる文書画像を、モード指定により指定された用紙に、指定されたサイズで、指定された部数の印刷を行う。一方、モード指定にコメント依頼モードで印刷する旨の指定が含まれているときは、印刷装置１０８は、印刷物をコメント依頼モードで印刷する。
【００３５】
コメント依頼モードでは、印刷制御部１５０は、まず、上記受信した印刷指示に基づいて作成する印刷物を他の印刷物と識別するための識別子を生成する。ここで、識別子は、例えば、印刷指示を受信する毎に行われる印刷ジョブのそれぞれに与える固有のコードであるものとすることができる。
【００３６】
次に、印刷制御部１５０は、ページ毎に、用紙Ｐ上の領域として予め定められた情報画像領域及びコメント追記領域と重ならないように、文書画像を用紙Ｐのサイズに対し所定の比率で縮小して印刷を行う。ここで、以下の説明において、印刷装置１０８の印刷動作における「文書」とは、一の印刷指示に含まれる印刷データが示す一連の画像の群をいう。また、それらの画像群に含まれる文書の画像を「文書画像」という。
【００３７】
図２は、印刷装置１０８により印刷が行われる用紙Ｐの、情報画像領域、コメント追記領域、及び文書画像領域の例を示す図である。本実施形態では、図示のように、用紙Ｐの図示上部の辺に沿って図示一点鎖線で示す所定の高さの情報画像領域２００が設けられている。また、用紙Ｐには、図示右辺及び下辺に沿って図示二点鎖線で示す所定幅のコメント追記領域２０２が設けられている。そして、情報画像領域２００及びコメント追記領域２０２を除いた用紙Ｐ上の領域内に規定された図示破線で示す文書画像領域２０４に、文書画像が印刷される。
【００３８】
印刷制御部１５０は、印刷データに含まれた文書画像のページ毎に、そのページの文書画像を、文書画像領域２０４内に納まるように縮小する。また、印刷制御部１５０は、情報画像生成部１５４に指示して、そのページの情報画像を生成する。そして、印刷制御部１５０は、上記縮小した画像をその用紙Ｐの文書画像領域２０４に印刷すると共に、上記生成した情報画像を情報画像領域２００に印刷して、そのページの印刷を行う。
【００３９】
印刷制御部１５０は、印刷データに含まれた文書画像のページ毎に上記の動作を繰り返し、モード指定で指定された部数の印刷物を作成する。
【００４０】
図１を参照し、画像保存部１５２は、印刷データに含まれるページ毎の文書画像のそれぞれを、印刷制御部１５０が生成した上記識別子と、その文書におけるその文書画像のページ番号と、に関連付けて記憶装置１０４に保存する。ここで、上記印刷データに含まれるページ毎の文書画像は、第１画像に相当する。
【００４１】
情報画像生成部１５４は、印刷制御部１５０の指示により、印刷ページ毎の情報画像を生成する。情報画像は、印刷制御部１５０が生成した上記識別子と、その用紙Ｐに印刷する文書画像の上記文書におけるページ番号の情報と、そのページが構成する印刷物の部数番号の情報と、を含む。ここで、印刷物の部数番号とは、その印刷指示により作成される複数部の印刷物のうち、そのページが構成する印刷物が何部目のものであるかを示す番号をいう。これにより、一の文書についての複数部の印刷物には、部毎に、それぞれのページに、それら複数の印刷物の識別子と、そのページのページ番号と、そのページが構成する印刷物の部数番号と、を含む情報画像が印刷されることとなる。
【００４２】
なお、本実施形態では、識別子には、自身が識別子であることを示す固有の識別符号が、例えばその識別子のヘッダー部分として含まれているものとする。また、本実施形態では、情報画像は、例えばバーコードとして生成される。ただし、これは一例であって、情報画像は、情報を線や矩形の組み合わせにより表す画像で構成される上記バーコードやＱＲコード（登録商標）のほか、符号列を構成する英数文字そのものを含む画像であってもよい。
【００４３】
配布先情報生成部１５６は、印刷指示が含むモード指定又は管理装置１０６から受信したモード指定に配布先リストが含まれているときは、その配布先リストに基づいて配布先情報を生成する。配布先情報は、配布先リストに含まれる配布先名を、それぞれ、印刷物の部数番号に対応付ける情報である。
【００４４】
配布先情報生成部１５６は、配布先リストが人物識別情報で構成されている場合には、例えば媒体処理システム１００と通信可能に接続された図示しないサーバー等が保持する人物データベースを参照するものとすることができる。配布先情報生成部１５６は、それらの人物識別情報に対応する人物の氏名を上記人物データベースから取得し、取得した氏名を配布先名として、上記配布先情報を生成することができる。
【００４５】
配布先情報生成部１５６は、生成した配布先情報を、印刷制御部１５０が生成した上記識別子に関連付けて記憶装置１０４に保存する。また、配布先情報生成部１５６は、モード指定により指定された所定数の部数の印刷物の作成が完了したときに、上記生成した配布先情報に基づき、部数番号と配布先名とを対応付けた配布先対応表を作成して印刷する。
【００４６】
図３は、印刷装置１０８によりコメント依頼モードで印刷された複数部の印刷物の構成を模式的に示した図である。図示の例では、一の印刷指示に従って３部の印刷物３００、３２０、３４０が作成されている。印刷物３００、３２０、３４０のそれぞれは、３ページで構成されている。第１部目の印刷物３００の第１ページ目のページ３０２には情報画像３１２が印刷され、第２ページ目のページ３０４には情報画像３１４が印刷され、第３ページ目のページ３０６には情報画像３１６が印刷されている。同様に、第２部目の印刷物３２０には、第１ページ目、第２ページ目、第３ページ目であるページ３２２、３２４、３２６に、それぞれ、情報画像３３２、３３４、３３６が印刷されている。また、同様に、第３部目の印刷物３４０には、第１ページ目、第２ページ目、第３ページ目であるページ３４２、３４４、３４６に、それぞれ、情報画像３５２、３５４、３５６が印刷されている。
【００４７】
図４は、情報画像３１２、３１４、３１６、３３２、３３４、３３６、３５２、３５４、３５６の内容の一例を示す図である。図示の表には、図示左から３列目、４列目、及び５列目に、各行に示された情報画像３１２、３１４、３１６、３３２、３３４、３３６、３５２、３５４の識別子、ページ番号、及び部数番号が示されている。
【００４８】
図示左から３列目に示すように、これらの情報画像３１２等には、一の印刷指示に従って作成されたこれらの印刷物３００、３２０、３４０を他の印刷物から識別する識別子として、同じコードｄｉｓｃが含まれている。
【００４９】
また、図示左から４列目に示すように、情報画像３１２、３１４、３１６には、それぞれ、ページ番号の情報として、情報画像３１２等が印刷されているページの、対応する印刷物３００におけるページ番号ｐ１、ｐ２、ｐ３が含まれている。同様に、情報画像３３２、３３４、３３６には、それぞれ、ページ番号の情報として、情報画像３３２等が印刷されているページの、対応する印刷物３２０におけるページ番号ｐ１、ｐ２、ｐ３が含まれている。また、情報画像３５２、３５４、３５６には、それぞれ、ページ番号の情報として、情報画像３５２等が印刷されているページの、対応する印刷物３４０におけるページ番号ｐ１、ｐ２、ｐ３が含まれている。
【００５０】
さらに、図示左から４列目に示すように、第１部目の印刷物３００の情報画像３１２、３１４、３１６には、その印刷物３００の部数番号の情報としてｃｏｐｙ＿１が含まれている。また、第２部目の印刷物３２０の情報画像３３２、３３４、３３６には、その印刷物３２０の部数番号の情報としてｃｏｐｙ＿２が含まれている。同様に、第３部目の印刷物３４０の情報画像３５２、３５４、３５６には、その印刷物３４０の部数番号の情報としてｃｏｐｙ＿３が含まれている。
【００５１】
媒体処理システム１００のユーザーは、一の印刷指示に従って印刷装置１０８により作成された上記複数部の印刷物のそれぞれを、コメント依頼先である配布先へ配布して、コメントの記入を依頼する。その際、ユーザーは、例えば、配布先情報生成部１５６が出力した配布先対応表を参照して、印刷物の部毎の配布先を確認しつつ、それらの印刷物を配布することができる。
【００５２】
［３．画像読取装置１１０の動作及び構成］
媒体処理システム１００のユーザーは、コメント依頼モードにより作成した複数部の印刷物を所定の配布先に配布し、配布先においてコメントが記入された後にそれらの印刷物を回収する。そして、ユーザーは、ＡＤＦ１６２に上記印刷物を含む原稿をセットし、入力装置１２４を介して読取指示を入力して、上記回収した印刷物の画像を画像読取装置１１０により読み取る。
【００５３】
画像読取装置１１０は、管理装置１０６から読取指示を受信したことに応じて、画像の読み取りを行う。また、画像読取装置１１０は、読み取った画像に情報画像が含まれているときは、コメント集約モードでの画像読取動作を行い、読み取った画像から追記部分の内容を示す追記データを抽出して記憶装置１０４へ保存する。
【００５４】
また、画像読取装置１１０は、読取指示と共に受信したモード指定にファイル生成指示が含まれているときは、同じ識別子に関連付けて記憶装置１０４に保存されている上記印刷物に係る文書画像と追記データとにより、一つの電子ファイルを生成する。
【００５５】
図１を参照し、画像読取装置１１０は、第３処理装置１６０と、オートドキュメントフィーダー（ＡＤＦ）１６２と、画像読取機構部１６４と、を有する。ＡＤＦ１６２は、第３処理装置１６０からの指示により、ＡＤＦ１６２の図示しない原稿供給部にセットされた原稿を画像読取機構部１６４へ搬送する。
【００５６】
画像読取機構部１６４は、例えば光学読取装置である。画像読取機構部１６４は、従来技術に従い、第３処理装置１６０の制御の下にＡＤＦ１６２から搬送されるシートのそれぞれの画像を読み取って第３処理装置１６０へ送る。
【００５７】
第３処理装置１６０は、例えば、ＣＰＵ等のプロセッサーを備えるコンピューターである。第３処理装置１６０は、プログラムが書き込まれたＲＯＭ、データの一時記憶のためのＲＡＭ等を有する構成であってもよい。そして、第３処理装置１６０は、機能要素又は機能ユニットとして、画像取得部１７０と、抽出部１７２と、追記データ保存部１７４と、生成部１７６と、を備える。
【００５８】
第３処理装置１６０が備えるこれらの機能要素は、例えば、コンピューターである第３処理装置１６０がプログラムを実行することにより実現される。なお、上記コンピューター・プログラムは、コンピューター読み取り可能な任意の記憶媒体に記憶させておくことができる。これに代えて、第３処理装置１６０が備える上記機能要素の全部又は一部を、それぞれ一つ以上の電子回路部品を含むハードウェアにより構成することもできる。
【００５９】
画像取得部１７０は、ＡＤＦ１６２及び画像読取機構部１６４を制御して、ＡＤＦ１６２にセットされた原稿の画像を読み取る。ここで、原稿毎の画像をページ画像と称する。ページ画像は、第２画像に相当する。画像取得部１７０は、取得したページ画像を、抽出部１７２及び追記データ保存部１７４へ送る。
【００６０】
抽出部１７２は、画像取得部１７０からページ画像を受信すると、まず、そのページ画像に情報画像が含まれているか否かを判断する。具体的には、抽出部１７２は、そのページ画像の中の、情報画像領域２００に相当する領域内の画像を探索して、情報画像の有無を判断する。その領域内の画像が情報画像であるか否かは、例えば、上述した所定の符号シーケンスをヘッダーとして含む識別子が情報画像に含まれているか否かにより判断するものとすることができる。
【００６１】
そして、ページ画像に情報画像が含まれていないときは、抽出部１７２は、追記データ保存部１７４に通常モード動作指示を送信する。
【００６２】
一方、ページ画像に情報画像が含まれているときは、抽出部１７２は、コメント集約モードの画像読取動作を実行する。コメント集約モードの画像読取動作では、抽出部１７２は、画像取得部１７０が取得したページ画像から、そのページ画像の追記部分であるコメントの内容を示す追記データを抽出する。具体的には、抽出部１７２は、ページ画像の中のコメント追記領域２０２に相当する領域内の画像に対し文字認識処理を行って、そのコメント追記領域２０２に追記されたコメントのテキストデータを追記データとして抽出する。また、抽出部１７２は、ページ画像に含まれる情報画像から識別子、ページ番号及び部数番号を抽出する。
【００６３】
また、抽出部１７２は、記憶装置１０４に上記抽出した識別子及びページ番号と同じ識別子及びページ番号に関連付けて保存されている文書画像データがあるか否かを判断する。そして、記憶装置１０４内にそのような文書画像データがないときは、抽出部１７２は、エラー処理として、上記読み取ったページ画像から文書画像データを抽出する。そして、抽出部１７２は、上記抽出した識別子及びページ番号に関連付けて、上記抽出した文書画像データを記憶装置１０４に保存する。その際、画像読取装置１１０は、抽出した文書画像データを、その印刷物の用紙Ｐのサイズに応じた所定のサイズに拡大し、拡大後の文書画像データを記憶装置１０４に保存する。そして、抽出部１７２は、上記抽出した識別子、ページ番号、部数番号、及び追記データと共に、コメント集約モード動作指示を追記データ保存部１７４へ送信する。なお、上記の処理は、記憶装置１０４内に対応する文書画像データが保存されていない場合のエラー処理であり、抽出部１７２は必ずしも上記の処理を行う必要はない。
【００６４】
追記データ保存部１７４は、抽出部１７２から通常モード動作指示を受信したときは、画像取得部１７０が取得したページ画像をそのまま記憶装置１０４に保存する。一方、抽出部１７２からコメント集約モード動作指示を受信したときは、追記データ保存部１７４は、そのページ画像に含まれる文書画像を示す文書画像データに関連付けて、そのページ画像から抽出された追記データを、記憶装置１０４に保存する。
【００６５】
具体的には、追記データ保存部１７４は、まず、抽出部１７２が抽出したものと同じ識別子、ページ番号、及び部数番号に関連付けて記憶装置１０４に保存されている追記データがあるか否かを判断する。そして、そのような保存された追記データがないときは、抽出部１７２から受信した抽出された追記データの全体を、上記識別子、ページ番号、及び部数番号に関連付けて記憶装置１０４に保存する。これにより、その追記データは、上記識別子及びページ番号を介して、記憶装置１０４に保存されているこれらと同じ識別子及びページ番号をもつ文書画像に関連付けられて保存されることとなる。
【００６６】
一方、抽出部１７２が抽出したものと同じ識別子、ページ番号、及び部数番号に関連付けて記憶装置１０４に保存された追記データがあるときは、追記データ保存部１７４は、上記保存された追記データと、上記抽出された追記データとを比較する。そして、追記データ保存部１７４は、抽出された追記データに、上記保存された追記データと異なる部分である差分が含まれているときは、抽出された追記データからその差分を更に抽出する。そして、追記データ保存部１７４は、上記抽出した差分を、新しい追記データとして、上記識別子、ページ番号、及び部数番号に関連付けて記憶装置１０４に追加して保存する。
【００６７】
ここで、上記差分は、上記抽出された追記データの全体である場合もあり得るものとする。すなわち、上記抽出された追記データが上記保存された追記データと一致する部分を全く含まない場合には、追記データ保存部１７４は、抽出された追記データの全体を差分とする。そして、追記データ保存部１７４は、抽出された追記データの全体を上記識別子、ページ番号、及び部数番号に関連付けて記憶装置１０４に保存する。一方、抽出された追記データと上記保存された追記データが全く同じであり、差分がないときは、追記データ保存部１７４は、抽出された追記データを破棄し、記憶装置１０４への保存は行わない。
【００６８】
画像取得部１７０、抽出部１７２、及び追記データ保存部１７４は、ＡＤＦ１６２にセットされたシートの全てについて上記の処理を繰り返す。画像取得部１７０は、ＡＤＦ１６２にセットされた全ての原稿の画像の取得を完了したときは、生成部１７６に対し読取完了通知を送信する。
【００６９】
生成部１７６は、管理装置１０６から読取指示と共に受信したモード指定にファイル生成指示が含まれているときは、画像取得部１７０から読取完了通知を受信したことに応じて、記憶装置１０４内の文書画像及び追記データから電子ファイルを生成する。
【００７０】
具体的には、生成部１７６は、ファイル生成指示に含まれているものと同じ識別子に関連付けて記憶装置１０４に保存されている文書画像と追記データと配布先情報とを特定する。そして、生成部１７６は、特定した文書画像と追記データとにより一の電子ファイルを生成する。その際、生成部１７６は、文書画像を、それらに関連付けられているページ番号の順にソートする。また、生成部１７６は、ページ毎に、そのページに関連付けられた全ての追記データを、そのページの文書画像に付加して、上記電子ファイルを生成する。
【００７１】
また、その際、生成部１７６は、上記特定した配布先情報に示された、上記追記データのそれぞれに関連付けられている部数番号に対応する配布先名を、その追記データの記入者名として特定する。そして、生成部１７６は、それらの追記データを、それぞれ記入者が識別可能な態様で文書画像に付加して、上記電子ファイルを生成する。また、生成部１７６は、上記生成した電子ファイルを記憶装置１０４に保存する。
【００７２】
なお、生成部１７６が生成する上記電子ファイルは、本実施形態では、例えばＰＤＦファイルである。生成部１７６は、例えば、ページ毎の文書画像に、そのページに関連付けられた全ての追記データを注釈として付加し、上記電子ファイルであるＰＤＦファイルを生成する。ここで、上記電子ファイルであるＰＤＦファイルでは、それぞれの追記データに関連付けられていた部数番号に対応する配布先名は、それらの追記データが表す注釈の記入者名として、それぞれの注釈に付加される。
【００７３】
生成部１７６は、上記受信したファイル生成指示に複数の識別子が含まれているときは、識別子毎に上記の処理を行って、それぞれ一の電子ファイルを生成して記憶装置１０４に保存する。
【００７４】
ユーザーは、例えば外部装置により、記憶装置１０４に保存された電子ファイルを、管理装置１０６を介して取得することができる。そして、ユーザーは、文書ソフトウェアを実行して、上記取得した電子ファイルの内容を、その外部装置が備える表示装置に表示して閲覧することができる。
【００７５】
［４．媒体処理システム１００における処理］
次に、媒体処理システム１００における媒体処理方法としての、印刷装置１０８における印刷処理、及び画像読取装置１１０における読取処理について説明する。
【００７６】
［４．１  印刷処理］
まず、印刷処理について、図５に示すフロー図に従って説明する。本処理は、媒体処理システム１００の電源がオンされたときに開始し、オフされたときに終了する。印刷処理を開始すると、まず、印刷装置１０８の印刷制御部１５０は、管理装置１０６から印刷指示を受信したか否かを判断する（Ｓ１００）。そして、印刷指示を受信していないときは（Ｓ１００、ＮＯ）、印刷制御部１５０は、ステップＳ１００に戻って処理を繰り返し、印刷指示を受信するまで待機する。
【００７７】
一方、印刷指示を受信したときは（Ｓ１００、ＹＥＳ）、印刷制御部１５０は、その印刷指示に含まれるモード指定にコメント依頼モードの指定が含まれているか否かを判断する（Ｓ１０２）。そして、コメント依頼モードの指定が含まれていないときは（Ｓ１０２，ＮＯ）、印刷制御部１５０は、印刷機構部１４２により、印刷指示により受信した印刷データ及びモード指定に基づき、指定された部数の印刷物を通常モードで印刷する（Ｓ１０４）。その後、印刷制御部１５０は、ステップＳ１００に戻って処理を繰り替えし、次の印刷指示の受信を待機する。
【００７８】
一方、モード指定にコメント依頼モードの指示が含まれているときは（Ｓ１０２、ＹＥＳ）、印刷制御部１５０は、受信している印刷指示に基づいて作成する印刷物を他の印刷物と識別するための識別子を生成する（Ｓ１０６）。次に、印刷制御部１５０は、印刷しようとするページの文書画像を、上記生成した識別子と、その文書におけるページ番号と、に関連付けて記憶装置１０４に保存する（Ｓ１０８）。
【００７９】
次に、印刷制御部１５０は、情報画像生成部１５４に指示して、印刷しようとするページについての情報画像の生成を行う（Ｓ１１０）。また、印刷制御部１５０は、印刷しようとするページの文書画像を、モード指定で指定された用紙サイズに応じて、所定の比率で縮小する（Ｓ１１２）。そして、印刷制御部１５０は、用紙Ｐ上のコメント追記領域２０２を余白として残しつつ、上記縮小した文書画像に上記生成した情報画像を重畳して用紙Ｐへの印刷を行う（Ｓ１１４）。
【００８０】
その後、印刷制御部１５０は、印刷指示の印刷データに含まれた全ページの文書画像を印刷したか否かを判断する（Ｓ１１６）。そして、印刷制御部１５０は、全てのページを印刷していないときは（Ｓ１１６、ＮＯ）、ステップＳ１０８に戻って処理を繰り返し、全ページの文書画像の保存と印刷とを行う。一方、全ページの文書画像を印刷したときは（Ｓ１１６、ＹＥＳ）、印刷制御部１５０は、モード指定により指定された部数の印刷を完了したか否かを判断する（Ｓ１１８）。そして、全部数を印刷していないときは（Ｓ１１８、ＮＯ）、印刷制御部１５０は、ステップＳ１１０に戻って処理を繰り返す。一方、全部数を印刷したときは（Ｓ１１８、ＹＥＳ）、配布先情報生成部１５６は、配布先リストを取得しているか否かを判断する（Ｓ１２０）。配布先リストは、印刷指示が含むモード指定から取得されるか、又は管理装置１０６から受信される印刷用のモード指定から取得される。
【００８１】
そして、配布先リストを取得していないときは（Ｓ１２０、ＮＯ）、配布先情報生成部１５６は、処理をステップＳ１００に戻す。一方、配布先を取得しているときは（Ｓ１２０、ＹＥＳ）、配布先情報生成部１５６は、部数番号を配布先人物名に対応付ける配布先情報を生成し、識別子に関連付けて記憶装置１０４に保存する（Ｓ１２２）。また、配布先情報生成部１５６は、生成した配布先情報に基づく配布先対応表を印刷した後（Ｓ１２４）、ステップＳ１００に処理を戻す。
【００８２】
［４．２  読取処理］
次に、読取処理について、図６に示すフロー図に従って説明する。本処理は、ＡＤＦ１６２にセットされた原稿の画像を読み取って、それらの原稿の中にコメント依頼モードで印刷された印刷物が含まれていれば、コメント集約モードの読取動作を行って電子ファイルを生成する処理である。本処理は、媒体処理システム１００の電源がオンされたときに開始し、オフされたときに終了する。
【００８３】
処理を開始すると、まず、画像読取装置１１０の画像取得部１７０は、管理装置１０６から読取指示を受信したか否かを判断する（Ｓ２００）。そして、読取指示を受信しないときは（Ｓ２００、ＮＯ）、画像取得部１７０は、ステップＳ２００に戻って読取指示を受信するのを待機する。
【００８４】
一方、読取指示を受信したときは（Ｓ２００、ＹＥＳ）、画像取得部１７０は、ＡＤＦ１６２に指示して１頁分の原稿を画像読取機構１３６へ搬送して、その１頁分の原稿の画像であるページ画像を読み取る（Ｓ２０２）。続いて、抽出部１７２は、読み取った上記ページ画像に情報画像が含まれているか否かを判断する（Ｓ２０４）。これにより、抽出部１７２は、その原稿がコメント依頼モードで印刷されたものであるか否かを判断する。
【００８５】
そして、情報画像が含まれているときは（Ｓ２０４、ＹＥＳ）、抽出部１７２は、コメント集約モードでの画像読取動作を行う。すなわち、抽出部１７２は、まず、その情報画像から識別子、ページ番号、及び部数番号を抽出して取得する（Ｓ２０６）。
【００８６】
次に、抽出部１７２は、記憶装置１０４にアクセスし、上記取得した識別子及びページ番号と同じ識別子及びページ番号に関連つけて保存された文書画像があるか否かを判断する（Ｓ２０８）。そして、そのような文書画像が保存されていないときは（Ｓ２０８、ＮＯ）、抽出部１７２は、上記読み取ったページ画像から文書画像を抽出すると共に、その原稿のサイズに応じた所定のサイズに拡大する（Ｓ２１０）。また、抽出部１７２は、上記抽出し拡大した文書画像を、上記取得した識別子とページ番号とに関連付けて記憶装置１０４に保存する（Ｓ２１２）。なお、ステップＳ２１０、Ｓ２１２の処理は、対応する文書画像が記憶装置１０４に保存されていない場合に実行されるエラー処理であり、上述したように、抽出部１７２は、必ずしもこれらの処理を実行する必要はない。
【００８７】
その後、抽出部１７２は、上記読み取ったページ画像から追記データを抽出する（Ｓ２１４）。そして、追記データ保存部１７４は、追記データ保存処理を実行して、上記抽出した追記データを、上記抽出した識別子、ページ番号、及び部数番号に関連付けて、記憶装置１０４に保存する（Ｓ２１６）。追記データ保存処理の詳細については後述する。
【００８８】
一方、ステップＳ２０８において、記憶装置１０４内に上記抽出した識別子及びページ番号と同じ識別子及びページ番号に関連付けて保存された文書画像があれば（Ｓ２０８、ＹＥＳ）、抽出部１７２は、ステップＳ２１４に処理を移す。
【００８９】
続いて、画像取得部１７０は、ＡＤＦ１６２にセットされた全ての原稿についての画像読取を完了したか否かを判断する（Ｓ２１８）。そして、全ての原稿の画像読取を終了していないときは（Ｓ２１８、ＮＯ）、画像取得部１７０は、ステップＳ２０２に戻って原稿の画像読取の処理を繰り返す。
【００９０】
一方、全ての画像読取を完了したときは（Ｓ２１８、ＹＥＳ）、生成部１７６は、管理装置１０６から読取指示と共に受信したモード指定にファイル生成指示が含まれているか否かを判断する（Ｓ２２０）。そして、含まれていないときは（Ｓ２２０、ＮＯ）、生成部１７６は、ステップＳ２００に処理を戻す。
【００９１】
一方、管理装置１０６から受信したモード指定にファイル生成指示が含まれているときは（Ｓ２２０、ＹＥＳ）、生成部１７６は、ファイル生成処理を実行した後（Ｓ２２２）、ステップＳ２００に処理を戻す。
【００９２】
また一方、ステップＳ２０４において、読み取ったページ画像に情報画像が含まれていないときは（Ｓ２０４、ＮＯ）、画像取得部１７０は、読み取った画像をそのまま記憶装置１０４に記憶した後（Ｓ２２４）、ステップＳ２１８に処理を移す。これにより、情報画像を含まないページ画像は、通常の画像読取動作が行われて、そのまま記憶装置１０４へ保存される。
【００９３】
図７は、図６に示すステップＳ２１６において追記データ保存部１７４が実行する追記データ保存処理の手順を示すフロー図である。処理を開始すると、追記データ保存部１７４は、記憶装置１０４にアクセスし、図６のステップＳ２０６において抽出したものと同じ識別子、ページ番号、及び部数番号に関連付けて保存されている追記データが保存されているか否かを判断する（Ｓ３００）。そして、保存されていないときは（Ｓ３００）、追記データ保存部１７４は、図６のステップＳ２１４において抽出された追記データの全体を、上記抽出した識別子、ページ番号、及び部数番号に関連付けて記憶装置１０４に保存する（Ｓ３０２）。その後、追記データ保存部１７４は、追記データ保存処理を終了して、図６のステップＳ２１８に処理を移す。
【００９４】
一方、上記抽出したものと同じ識別子、ページ番号、及び部数番号に関連付けて追記データが保存されているときは（Ｓ３００、ＹＥＳ）、追記データ保存部１７４は、その保存されている追記データと、上記抽出された追記データとを比較する（Ｓ３０４）。そして、追記データ保存部１７４は、上記抽出された追記データに、上記保存された追記データに対して異なっている部分、すなわち差分があるか否かを判断する（Ｓ３０６）。
【００９５】
そして、差分があるときは（Ｓ３０６、ＹＥＳ）、追記データ保存部１７４は、上記差分を、新たな追記データとして、上記抽出したものと同じ識別子等に関連付けて記憶装置１０４に追加して保存する（Ｓ３０８）。その後、追記データ保存部１７４は、追記データ保存処理を終了して、図６のステップＳ２１８に処理を移す。
【００９６】
一方、上記抽出された追記データが上記保存された追記データと同一であり、上記抽出された追記データに上記差分がないときは（Ｓ３０６、ＮＯ）、追記データ保存部１７４は、そのまま追記データ保存処理を終了して、図６のステップＳ２１８に処理を戻す。
【００９７】
図８は、ステップＳ２２２において生成部１７６が実行するファイル作成処理の手順を示すフロー図である。ファイル作成処理を開始すると、生成部１７６は、管理装置１０６から受信したファイル生成指示に含まれる識別子の一つを、処理対象の識別子として決定する（Ｓ４００）。以下、上記決定された処理対象である識別子を、対象識別子という。続いて、生成部１７６は、対象識別子に関連付けられた文書画像のグループを、それらに関連付けられているページ番号の順にソートする（Ｓ４０２）。
【００９８】
そして、生成部１７６は、ページ毎に、文書画像データに、そのページに関連付けられた全ての追記データを付加して、そのページのＰＤＦデータを生成する（Ｓ４０４）。その際、生成部１７６は、対象識別子に関連付けて記憶装置１０４に保存されている配布先情報を参照して、部数番号のそれぞれに対応付けられた配布先名を特定する。そして、生成部１７６は、それぞれの追記データを、その追記データに関連付けられた部数番号に対応する配布先名を記入者名として含む注釈として、上記文書画像データに付加する。
【００９９】
その後、生成部１７６は、すべてのページについて生成したＰＤＦデータを統合して、電子ファイルである一つのＰＤＦファイルを生成する（Ｓ４０６）。また、生成部１７６は、上記生成した電子ファイルであるＰＤＦファイルを、記憶装置１０４に保存する（Ｓ４０８）。
【０１００】
次に、生成部１７６は、上記受信したモード指定に含まれる全ての識別子について電子ファイルを生成したか否かを判断する（Ｓ４１０）。そして、未だ電子ファイルを生成していない識別子があるときは（Ｓ４１０、ＮＯ）、生成部１７６は、処理をステップＳ４００に戻す。これにより、生成部１７６は、上記受信したモード指定に含まれている識別子であって未だ電子ファイルを生成していない一の識別子を新たに対象識別子に決定して、上記の処理を繰り返す。
【０１０１】
一方、上記受信したモード指定に含まれる全ての識別子について電子ファイルを生成したときは（Ｓ４１０、ＹＥＳ）、生成部１７６は、ファイル作成処理を終了し、図６に示すフロー図のステップＳ１００に処理を移す。
【０１０２】
なお、上述の実施形態において、記憶装置１０４への、識別子とページ番号とに関連付けた文書画像の保存は、例えば、その文書画像のデータファイルを、識別子とページ番号とを含んだファイル名を付して記憶装置１０４に保存することにより行われ得る。同様に、記憶装置１０４への追記データの保存は、例えば、識別子とページ番号と部数番号とを含むファイル名を付して、その追記データを記憶装置１０４に保存することにより行われ得る。
【０１０３】
または、識別子等に関連付けた文書画像及び追記データの上記保存は、例えば、記憶装置１０４の記憶領域において階層状のフォルダーを定義して行うものとすることができる。具体的には、例えば、識別子毎にその識別子をフォルダー名とする上位フォルダーを作成し、それぞれの上位フォルダーの下層に、ページ番号をフォルダー名とする下位フォルダーを設けるものとすることができる。そして、文書画像を、対応する識別子をフォルダー名とする上位フォルダーの下層の、対応するページ番号をフォルダー名とする下位フォルダーに保存することができる。この場合には、追記データは、例えば、対応する識別子をフォルダー名とする上位フォルダーの下層の、対応するページ番号をフォルダー名とする下位フォルダーに、部数番号をファイル名として含むファイルとして保存するものとすることができる。
【０１０４】
あるいは、識別子等に関連付けた文書画像及び追記データの上記保存は、例えば、文書画像と追記データとを識別子等に関連付けるデータベースファイルを、それらの文書画像と追記データと共に記憶装置１０４に保存することで行うことができる。
【０１０５】
［５．変形例］
なお、本発明は上記実施形態の構成に限られるものではなく、その要旨を逸脱しない範囲において種々の態様において実施することが可能である。
【０１０６】
例えば、本実施形態では、情報画像は、識別子とページ番号と部数番号とを含むものとしたが、これには限られない。例えば、情報画像は、識別子とページ番号とを含むものとし、部数番号を含まないものとすることもできる。この場合には、追記データ保存部１７４は、ページ画像から抽出した追記データを、識別子とページ番号とに関連付けて記憶装置１０４に保存するものとすることができる。このような構成においても、ページ毎の文書画像にそのページに関する全ての追記データを付して、全ての配布先において記入された全てのコメントを含む一つの電子ファイルを生成することができる。
【０１０７】
また、本実施形態では、媒体処理システム１００を構成する管理装置１０６、印刷装置１０８、及び画像読取装置１１０が、それぞれ、第１処理装置１２０、第２処理装置１４０、及び第３処理装置１６０を有するものとしが、これには限られない。媒体処理システム１００は、一つの処理装置を含む構成であってもよい。例えば、第２処理装置１４０及び第３処理装置１６０に代えて、管理装置１０６が有する第１処理装置１２０に、第２処理装置１４０及び第３処理装置１６０が備える各機能要素が実現されるものとしてもよい。この場合には、例えばバス１０２を介して、各機能要素からの指示等が印刷機構部１４２、ＡＤＦ１６２、及び又は画像読取機構部１６４へ送信されるものとすることができる。
【０１０８】
また、本実施形態では、一の媒体処理システム１００が備える印刷装置１０８がコメント集約モードで印刷した印刷物を、同じ媒体処理システム１００が備える画像読取装置１１０により読み取るものとしたが、これには限られない。例えば、一の媒体処理システム１００が備える印刷装置１０８がコメント集約モードで印刷した印刷物を、他の媒体処理システム１００が備える画像読取装置１１０により読み取るものとしてもよい。この場合には、一の媒体処理システム１００と他の媒体処理システム１００とがインターネット、イントラネット、又はＬＡＮ等のネットワークを介して互いに通信可能に接続されているものとすることができる。他の媒体処理システム１００は、上記ネットワークを介して、電子ファイルを生成する際に一の媒体処理システム１００の記憶装置１０４を参照することができる。これにより、他の媒体処理システム１００は、一の媒体処理システム１００の記憶装置１０４に保存されている、対応する識別子等に関連付けられた文書画像及び配布先情報を参照するものとすることができる。
【０１０９】
また、例えば、一の媒体処理システム１００と、他の媒体処理システム１００と、記憶装置を備えるサーバーとが、上記のようなネットワークを介して接続されるものとすることができる。この場合には、一の媒体処理システム１００及び他の媒体処理システム１００のそれぞれの印刷装置１０８及び画像読取装置１１０は、記憶装置１０４に代えて上記サーバーが備える記憶装置を用いることができる。すなわち、それぞれの印刷装置１０８及び画像読取装置１１０は、サーバーが備える記憶装置にアクセスし、上述の文書画像、配布先情報、追記データ、及び電子ファイルを保存し、又は読み出すものとすることができる。
【０１１０】
また、本実施形態では、媒体処理システム１００は複合機であるものとしたが、これには限られない。媒体処理システム１００は、例えば、上述のようなネットワークを介して互いに通信可能に接続された、それぞれ個別の装置として構成され記憶装置１０４と印刷装置１０８と画像読取装置１１０とにより構成されるものとすることができる。この場合には、画像読取装置１１０は、上記ネットワークを介して接続された外部装置から読取指示及びモード指定が与えられるものとすることができる。また、記憶装置１０４は、例えば、上記ネットワークに接続された上述のようなサーバーが備える記憶装置であるものとすることもできる。
【０１１１】
また、本実施形態では、生成部１７６が生成する電子ファイルは、例えばＰＤＦファイルであるものとしたが、これには限られない。電子ファイルは、文書画像と、テキストデータである追記データと、を関連付けて保持し且つ表示することのできる任意の電子ファイルであるものとすることができる。そのような電子ファイルは、文書ファイルのほか、データベースファイルであってもよい。
【０１１２】
また、本実施形態では、配布先リストは、外部装置から送信される印刷指示のモード指定に含まれるか、又は印刷動作の際に入力装置１２４を介してユーザーから入力されるものとしたが、これには限られない。例えば、配布先リストは、画像読取装置１１０により原稿の読取動作を行う際に、入力装置１２４を介してユーザーから入力されるものとすることができる。例えば、画像読取装置１１０は、読取処理において情報画像から識別子を抽出した際に、記憶装置１０４内にその抽出した識別子に関連付けて保存された配布先情報があるか否かを判断するものとすることができる。そして、画像読取装置１１０は、そのような配布先情報が保存されていないときは、管理装置１０６を介してユーザーに配布先リストの入力を促すものとすることができる。
【０１１３】
また、本実施形態では、原稿読取動作のモード指定にファイル作成指示がある場合に電子ファイルを生成するものとしたが、これには限られない。例えば、画像読取装置１１０は、ファイル生成指示を単独で受信し、画像読取動作を行うことなく、記憶装置１０４に保存されている文書画像と追記データとにより電子ファイルを生成するものとすることができる。そのような単独のファイル生成指示は、管理装置１０６が、入力装置１２４を介したユーザーからの入力に基づいて画像読取装置１１０に与えるものとすることができる。あるいは、そのような単独のファイル生成指示は、外部装置から受信されるものとすることができる。
【０１１４】
［６．まとめ］
以上、説明したように、本実施形態の媒体処理システム１００は、記憶部である記憶装置１０４と、文書を印刷して印刷物を作成する印刷部である印刷制御部１５０と、を備える。媒体処理システム１００は、また、文書のページ毎の画像である第１画像としての文書画像をそれぞれ記憶装置１０４に保存する画像保存部１５２と、印刷物のページ毎の画像である第２画像としてのページ画像を取得する画像取得部１７０と、を備える。媒体処理システム１００は、また、ページ画像から文書画像に対する追記部分の内容を示す追記データを抽出する抽出部１７２と、文書画像のそれぞれに関連付けて、追記データを記憶部に保存する追記データ保存部１７４を備える。媒体処理システム１００は、また、文書画像及び追記データを用いて電子ファイルを生成する生成部１７６を備える。
【０１１５】
そして、印刷制御部１５０は、印刷物の各ページに、文書の識別子及びページ番号を示す情報を含む情報画像を印刷する。画像保存部１５２は、ページ毎の文書画像のそれぞれを、識別子及びページ番号に関連付けて記憶部に保存する。抽出部１７２は、ページ画像に含まれる情報画像から識別子及びページ番号を抽出する。追記データ保存部１７４は、記憶装置１０４に保存されている文書画像のうち、抽出された識別子及びページ番号と同じ識別子及びページ番号に関連付けられた文書画像に、追記データを関連付けて保存する。また、生成部１７６は、ファイル生成指示を受け付けたことに応じて、同じ識別子に関連付けて記憶装置１０４に保存されている文書画像及び追記データを用いて電子ファイルを生成する。
【０１１６】
この構成によれば、複数の印刷物にそれぞれ追記されたコメントと、その印刷物に係る文書の文書画像と、により一つの電子ファイルが生成される。従って、ユーザーは、複数の印刷物をそれぞれ配布して複数の人にコメントを依頼した場合でも、依頼した人数分の電子ファイルを閲覧することなく、一つの電子ファイルにより複数の依頼先からのコメントを同時に閲覧することができる。その結果、文書画像に付加された追記コメントについてのユーザーの閲覧作業が単純化される。また、この構成によれば、文書を印刷する際にページ毎の文書画像が記憶装置１０４に保存されるので、その後の追記データの保存の際に印刷物から文書画像を抽出する必要がない。このため、追記データの保存処理が単純化される。
【０１１７】
また、媒体処理システム１００では、抽出部１７２は、抽出した識別子、及びページ番号に関連付けて記憶装置１０４に保存されている追記データとページ画像から抽出した追記データとを比較する。そして、抽出部１７２は、抽出した追記データのうち上記保存されている追記データに含まれていない部分を、上記ページ画像から抽出した追記データとして、上記抽出した識別子、及びページ番号に関連付けて記憶装置１０４に追加して保存する。
【０１１８】
この構成によれば、配布先において印刷物がコピーされ、それぞれのコピーに異なるコメントが記入された場合や、一度追記データを抽出した印刷物に更に他のコメントが書き加えられた場合にも、それら全てのコメントを追記データとして取得し保存できる。従って、配布先において記入された全てのコメントを漏れなく収集して、一つの電子ファイルに集約することができる。
【０１１９】
また、媒体処理システム１００では、生成部１７６は、同じ識別子に関連付けて記憶装置１０４に保存されている文書画像を、文書画像のそれぞれに関連付けられているページ番号の順にソートして、電子ファイルを生成する。この構成によれば、ユーザーは、ＡＤＦ１６２に原稿をセットする際に印刷物のページ順を意識する必要がないので、印刷物の画像読取作業が単純化される。
【０１２０】
また、媒体処理システム１００では、印刷制御部１５０は、印刷物の各ページに、識別子、印刷物の部数番号、及びページ番号を示す情報を含む情報画像を印刷する。画像保存部１５２は、文書画像のそれぞれを、識別子、及びページ番号に関連付けて記憶装置１０４に記憶する。抽出部１７２は、ページ画像に含まれる情報画像から識別子、部数番号及びページ番号を抽出する。また、抽出部１７２は、抽出した識別子、ページ番号、及び部数番号に関連付けて記憶装置１０４に保存されている追記データとページ画像から抽出した追記データとを比較する。そして、抽出部１７２は、上記抽出した追記データのうち上記保存されている追記データに含まれていない部分を、ページ画像から抽出した追記データとして、上記抽出した識別子、ページ番号、及び部数番号に関連付けて記憶装置１０４に追加して保存する。
【０１２１】
この構成によれば、印刷物の部毎に配布先が異なる場合には、情報画像に含まれる部数番号の情報に関連付けて、それぞれの配布先、すなわち追記コメントの記入元をトレースすることができる。したがって、ユーザーは、例えばコメントの記入者に質問等を行いたい場合には、その記入者を容易に特定して対処することができる。
【０１２２】
また、媒体処理システム１００では、生成部１７６は、部数番号に対応付けられた印刷物の配布先名を示す配布先情報に基づいて、追記データを追記した配布先名を特定可能な態様で電子ファイルを生成する。この構成によれば、ユーザーは、一の電子ファイルを閲覧するだけで、どの配布先から取得したコメントであるかを特定しつつ、したがってコメントの記入者を特定しつつ、それぞれのコメント閲覧することができる。このため、ユーザーは、例えば記入者に応じたコメント分析等、コメント処理作業の高度化を図ることが容易となる。
【０１２３】
また、媒体処理システム１００は、記憶装置１０４、印刷制御部１５０、画像保存部１５２、画像取得部１７０、抽出部１７２、追記データ保存部１７４、及び生成部１７６を備える媒体処理装置として構成され得る。この構成によれば、媒体処理システム１００は一の装置として実現されるので、コメント依頼用の印刷物の作成と、コメント追記後の印刷物からのコメントの抽出及び電子ファイルの生成を、１台の装置で実現することができる。したがって、コメント依頼及びコメント収集の一連の作業を行う際の、媒体処理システム１００の利便性が向上する。
【０１２４】
また、媒体処理システム１００は、記憶装置１０４と、印刷制御部１５０及び画像保存部１５２を備える印刷装置１０８と、画像取得部１７０、抽出部１７２、追記データ保存部１７４、及び生成部１７６を備える画像読取装置１１０と、を有する。そして、記憶装置１０４、印刷装置１０８、及び画像読取装置１１０は、ＬＡＮ等のネットワークにより互いに通信可能に接続されている。
【０１２５】
この構成によれば、個別の装置をネットワークを介して互いに接続することで媒体処理システム１００が実現される。このため、装置の配置や保守の面で柔軟性のある媒体処理システム１００を実現することができる。
【０１２６】
また、媒体処理システム１００が実行する媒体処理方法は、文書を印刷して印刷物を作成するステップＳ１１０−Ｓ１１８と、文書のページ毎の画像である文書画像をそれぞれ記憶装置１０４に保存するステップＳ１０８と、を有する。また、上記媒体処理方法は、印刷物のページ毎の画像であるページ画像を取得するステップＳ２０２と、ページ画像から文書画像に対する追記部分の内容を示す追記データを抽出するステップＳ２０４−Ｓ２１４と、を有する。また、上記媒体処理方法は、文書画像のそれぞれに関連付けて、追記データを記憶装置１０４に保存するステップＳ２１６と、文書画像及び追記データを用いて電子ファイルを生成するステップＳ２２２と、を有する。
【０１２７】
そして、印刷物を作成する上記ステップでは、ステップＳ１１４により、印刷物の各ページに、文書の識別子及びページ番号を示す情報を含む情報画像を印刷する。また、文書画像を保存するステップＳ１０８では、文書画像のそれぞれを、識別子及びページ番号に関連付けて記憶装置１０４に保存する。また、抽出する上記ステップでは、ステップＳ２０６により、ページ画像に含まれる情報画像から識別子及びページ番号を抽出する。
【０１２８】
また、追記データを保存するステップＳ２１６では、ステップＳ３０２又はＳ３０８において、抽出された識別子及びページ番号に関連付けて追記データを記憶装置１０４に記憶する。これにより、追記データは、記憶装置１０４に保存されている文書画像のうち、抽出された識別子及びページ番号と同じ識別子及びページ番号に関連付けられた文書画像に関連付けて保存される。また、生成するステップ２２２では、ファイル生成指示を受け付けたことに応じて、同じ識別子に関連付けて記憶装置１０４に保存されている文書画像及び追記データを用いて電子ファイルを生成する。
【０１２９】
この構成によれば、複数の印刷物にそれぞれ追記されたコメントと、その印刷物に係る文書の文書画像と、により一つの電子ファイルが生成される。従って、ユーザーは、複数の印刷物をそれぞれ配布して複数の人にコメントを依頼した場合でも、依頼した人数分の電子ファイルを閲覧することなく、一つの電子ファイルにより複数の依頼先からのコメントを同時に閲覧することができる。その結果、文書画像に付加された追記コメントについてのユーザーの閲覧作業が単純化される。また、この構成によれば、文書を印刷する際にページ毎の文書画像が記憶装置１０４に保存されるので、その後の追記データの保存の際に印刷物から文書画像を抽出する必要がない。このため、追記データの保存処理が単純化される。
【符号の説明】
【０１３０】
１００…媒体処理システム、１０２…バス、１０４…記憶装置（記憶部）、１０６…管理装置、１０８…印刷装置、１１０…画像読取装置、１２０…第１処理装置、１２２…表示装置、１２４…入力装置、１２６…通信装置、１３０…動作指示部、１３２…モード指定取得部、１４０…第２処理装置、１４２…印刷機構部、１５０…印刷制御部（印刷部）、１５２…画像保存部、１５４…情報画像生成部、１５６…配布先情報生成部、１６０…第３処理装置、１６２…オートドキュメントフィーダー（ＡＤＦ）、１６４…画像読取機構部、１７０…画像取得部、１７２…抽出部、１７４…追記データ保存部、１７６…生成部。
【図１】
2020060998.tif 000003
【図２】
2020060998.tif 000004
【図３】
2020060998.tif 000005
【図４】
2020060998.tif 000006
【図５】
2020060998.tif 000007
【図６】
2020060998.tif 000008
【図７】
2020060998.tif 000009
【図８】
2020060998.tif 000010